(57)【要約】【課題】２匹の動物を同時に散歩させる場合に、綱同士が絡まることなく、２匹の動物の歩行ペースを合わせてまとまって散歩させ、動物の行動を容易に制御することができる散歩綱及び散歩用具を提供する。【解決手段】綱体１と引っ掛け金具２と連結手段３とから構成されている散歩綱であって、綱体１の一端に引っ掛け金具２が設けられ、他端に連結手段３が設けられており、連結手段３は、巻き取り機構４ａと延長綱４ｂとからなる伸縮部と、延長綱４ｂに取り付けられた引っ掛け金具５とから構成されたことを特徴とする。従って、動物同士は互いに自由に動いても歩行ペースを合わせることができるし、綱同士が絡まることはない。また、巻き取り機構４ａにロック機構を設けていれば、２匹の動物のまとまって散歩させ、動物の行動を容易に制御することができる。【選択図】　　　　図１
0003099937.tif 000002
【実用新案登録請求の範囲】
【請求項１】
二匹の動物の体にそれぞれ取り付けられる二個の連結具に連結するための散歩綱であって、
前記２個の連結具にそれぞれに設けられた連結環に、着脱自在に引っ掛け可能な２個の引っ掛け金具を一本の綱体の両端に備えている
ことを特徴とする散歩綱。
【請求項２】
前記綱体の一端に、該綱体の一端と前記引っ掛け金具との間の距離を調整する伸縮部が設けられている
ことを特徴とする請求項１記載の散歩綱。
【請求項３】
前記伸縮部が
前記綱体の一端に設けられた巻き取り機構と、
該巻き取り機構よって、繰り出し巻き取りされる延長綱とからなり、
該延長綱は、その基端が巻き取り機構に取り付けられており、その自由端に前記引っ掛け金具が取り付けられている
ことを特徴とする請求項２記載の散歩綱。
【請求項４】
前記延長綱の移動を固定するロック機構を備えている
ことを特徴とする請求項３記載の散歩綱。
【請求項５】
飼い主が散歩する犬につなぐ引き綱であって、
該引き綱の一端に、動物の体に取り付けられる連結具に備えられた連結環に着脱自在に引っ掛け可能な第１引っ掛け金具が設けられており、
該引き綱の一端と他端との間に、動物の体に取り付けられる連結具に備えられた連結環に着脱自在に引っ掛け可能な第２引っ掛け金具が設けられている
ことを特徴とする散歩綱。
【請求項６】
動物の体に取り付けられる連結具と、
該連結具に設けられた巻き取り機構と、
該巻き取り機構により繰り出し巻き取り自在な綱体と、
該綱体の自由端に設けられた、着脱自在に引っ掛け可能な引っ掛け金具とからなる
ことを特徴とする散歩用具。
【請求項７】
前記綱体の移動を固定するロック機構を備えている
ことを特徴とする請求項６記載の散歩用具。
【考案の詳細な説明】
【０００１】
【考案の属する技術分野】
本考案は、二匹の動物の散歩に使用する散歩綱及び散歩用具に関する。さらに詳しくは犬や猫その他の動物の散歩に使用する散歩綱及び散歩用具に関する。特に、犬の親子等、大きさの違う犬を散歩させる場合や、盲目の犬を他の犬と共に散歩させるのに好適な散歩綱及び散歩用具に関する。
【０００２】
【従来の技術】
散歩綱に関する従来の技術として、次の二つがある。
従来例Ｉの散歩綱は、二匹の犬の散歩に使用するものであって、１本の引き綱と２本の連結綱からなり、２本の連結綱を回転金具を介して１本の引き綱に連結したものである。２本の連結綱は２匹の犬の首輪にそれぞれ引っ掛けられ、１本の引き綱は飼い主が持つ（例えば、特許文献１参照）。
また、従来例ＩＩの散歩綱は、二匹の犬の散歩に使用するものであって、持ち輪を備えた２本の散歩綱が、１本の綱の両端に設けた引っ掛け金具の基部にそれぞれ固着され、その綱の中央にも連結紐を介して持ち輪を連結したものである（例えば、特許文献２参照）。
【０００３】
【特許文献１】
実開平０７−２２６５３
【特許文献２】
特開平０９−２０５９２０
【０００４】
【考案が解決しようとする課題】
しかるに、従来例Ｉ、ＩＩの散歩綱は、２匹の犬の首輪にそれぞれ１本づつ連結綱が取り付けられているので、犬同士は他の犬の動きに関わらず自由に動きまわり、犬の動き方によっては連結綱同士が絡むという問題があり、飼い主が２匹の犬をまとまって散歩させることも困難であるという問題がある。
また、従来例Ｉ、ＩＩの散歩綱は、伸縮性に欠けるので、２匹の犬の歩行ペースが合わないとき、犬同士が引っ張り合って、人が散歩させにくいという問題がある。
さらに、従来例Ｉ、ＩＩの散歩綱は２匹の動物の動きを容易に制御することができないという問題がある。すなわち、従来例Ｉは、手元の持ち輪は一つだが先は２本の連結綱で二股に分かれているので、２匹の犬の力が一本の引き綱に加わる。すると、動物を引き止めるのに２匹分の力を支持する必要がある。また、持ち輪を引いて動物を制御しようとしても、２匹の距離を接近させることしかできない。そして、従来例Ｉは、持ち輪が３箇所もあるため、扱いが煩雑であり、２匹の動きを容易に制御することができない。
【０００５】
本考案はかかる事情に鑑み、２匹の動物を同時に散歩させる場合に、綱同士が絡まることなく、２匹の動物の歩行ペースを合わせてまとまって散歩させ、動物の行動を容易に制御することができる散歩綱及び散歩用具を提供することを目的とする。
【０００６】
【課題を解決するための手段】
請求項１の散歩綱は、二匹の動物の体に取り付けられる二個の連結具にそれぞれに設けられた連結環に着脱自在に引っ掛け可能な２個の引っ掛け金具を一本の綱体の両端に備えたことを特徴とする。
請求項２散歩綱は、請求項１の散歩綱において該綱体の一端と前記引っ掛け金具との間の距離を調整する伸縮部が備えられていることを特徴とする。
請求項３の散歩綱は、請求項２の散歩綱において前記伸縮部が前記綱体を延長する延長綱とこの延長綱の繰り出しと巻き取りを行う巻き取り機構を備えていることを特徴とする。
請求項４の散歩綱は、請求項３の散歩綱において、前記延長綱の移動を固定するロック機構を備えたことを特徴とする。
請求項５の散歩綱は、二匹の動物の体に取り付けられる二個の連結具に備えられた連結環に着脱自在に引っ掛け可能な第１引っ掛け金具と第２引っ掛け金具が、引き綱の綱体の一端と該綱体の途中に設けていることを特徴とする。
請求項６の散歩用具は、前記連結具における巻き取り機構と、該巻き取り機構により繰出し巻き取り自在な綱体と、該巻き取り機構に設けられた綱体の繰り出し、巻き取りを操作することができる操作手段と、該綱体の自由端に取り付けた、着脱自在に引っ掛け可能な引っ掛け金具を備えていることを特徴とする。
請求項７の散歩用具は、請求項６の散歩用具において、前記綱体の移動を固定するロック機構を備えたことを特徴とする。
【０００７】
【考案の実施の形態】
つぎに、本考案の実施形態に係る散歩綱を図面に基づき説明する。
図１は第１実施形態に係る散歩綱Ａの説明図である。図２は第１実施形態の散歩綱Ａの使用説明図である。図３は第２実施形態の散歩綱Ｂの説明図である。図４は第３実施形態に係る散歩綱Ｃの説明図である。図５は第４実施形態に係る散歩綱Ｄの説明図である。図６は第５実施形態に係る散歩用具Ｅの説明図である。
【０００８】
本考案の散歩綱は、動物（例えば、犬）の体に取り付けられる連結具（例えば、首輪や胴輪）に引っ掛けて使用するものである。
【０００９】
図１に示すように、第１実施形態の散歩綱Ａは請求項２又は請求項３の考案の実施形態であって、綱体１と引っ掛け金具２と連結手段３とから構成されている。
綱体１は公知の編み紐製やチェーンなどであり、長さは数１０ｃｍ程度の短いものでよい。この綱体１の一端には引っ掛け金具２が設けられている。引っ掛け金具２は首輪Ｃや胴輪の連結環Ｒに着脱自在に引っ掛けたり外したりできるものであれば、どのようなものでもよいが、例えば公知のナスカンが用いられる。
そしてこの綱体１の他端には連結手段３が設けられており、連結手段３は伸縮部４と引っ掛け金具５とから構成されている。
伸縮部４は、ケース内にコイルバネが内装された回転ドラムを有する巻き取り機構４ａと巻き取り機構４ａの回転ドラムに一端が取り付けられた延長綱４ｂとから構成されている。言い換えれば、伸縮部４は、公知の巻尺において、テープ部分が延長綱４ｂに置き換えられた構造を有している。なお、伸縮部４は、綱体１の一端と引っ掛け金具５との間の距離を調整することができるものであればどのような構造でも良い。
延長綱４ｂはナイロンやコットン等種々の素材が用いられ、横幅があって平たい形のテープ状のものでも、細く丸い形の紐状のものでも良いが、紐状のもののほうが、犬の動きによってねじれても綱体の巻き取りがスムーズである。なお、その長さは犬の大きさにもよるが、数１０ｃｍから２ｍ位までが、散歩させる目的からは好都合である。
そして、延長綱４ｂの自由端には上記の引っ掛け金具２と同様の引っ掛け金具５が設けられている。
【０００１０】
本実施形態の散歩綱Ａを使用する場合は、図２に示すように、散歩綱に設けられた引っ掛け金具２と引っ掛け金具５を、犬の首輪Ｃ等に設けられた連結環Ｒにそれぞれ引っ掛けて犬同士を連結させる。そして、引き綱６に備えられた引っ掛け金具をどちらか一匹の犬の首輪Ｃ等の連結環Ｒに引っ掛けておき、飼い主は引き綱６を持って、２匹の犬を散歩させる。すると、２匹の犬同士を離れ離れにしないで、散歩させることができる。
例えば、飼い主が、引き綱６を親犬につないでおいて、子犬を散歩綱Ａを使用して親犬につなげば、子犬は親犬について散歩することができるし、盲目の犬を散歩綱Ａを使用して目の見える犬につなげば、盲目の犬を目の見える犬とともに散歩することができる。また、小型犬を散歩綱Ａを使用して大型犬につなげば、小型犬を大型犬とともに散歩させることができる。
【０００１１】
また、２匹の犬がそれぞれ違う方向に動いて両者の距離が離れれば、巻き取り機構４ａが働いて延長綱４ｂが繰り出され、２匹の犬が近づくと巻き取り機構４ａによって延長綱４ｂが巻き取られるので、犬同士は互いに行動を制限されることなく、自由に動くことができる。
そして、巻き取り機構４ａに、延長綱４ｂの長さを固定するロック機構を設けておけば好適である。ロック機構とは巻き取り機構４ａにおける延長綱４ｂの繰り出し、巻き取りの動きを止めるものであって、これらの動きを止めることによって、延長綱４ｂの長さを固定するものである。従って、延長綱４ｂの繰り出し量を固定することができると、延長綱４ｂの長さを固定することができるので、２匹間の距離を一定にすることができる。すると、それ以上広い範囲に犬が動くことはなく、２匹の犬をまとまって散歩させることができる。
【０００１２】
なお、飼い主は引き綱６に直接つながれている犬を制御するときは、引き綱６を引いて制御することができるし、散歩綱Ａのみにつながれた犬を制御するときは、引き綱６につながれた犬を制御し、かつ延長綱４ｂの長さを固定すれば散歩綱Ａのみにつながれた犬も間接的に制御することができる。散歩綱Ａのみにつながれた犬を引き綱６につながれた犬の行動に従属させることができるからである。従って、飼い主が犬を制御する際には、従来例Ｉ、ＩＩの散歩綱を用いると、２匹分の力を負担しなければならなかったが、散歩綱Ａを使用すれば、負担するのは犬１匹分の力で済むことになる。
【００１３】
なお、散歩綱は巻き取り機構４ａをはずしたものであってもよい。いいかえれば、１本の綱体１の両端にそれぞれ引っ掛け金具２を設けた構造としても良い（図３）。この場合、犬同士を一本の綱でつなぐので、犬同士の間隔を常に一定の距離の範囲内に保った状態で犬を散歩させたい場合に好適である。
そして、綱体１の長さを数１０ｃｍから２ｍ位にすれば、散歩させる目的には好適である。
【００１４】
なお、本実施形態の散歩綱を使用して一匹の犬の首輪に複数の犬をつなぐ、つまり、一匹の犬を中心として他の犬が略放射状になるようにつなぐと、２匹以上の犬をまとめて散歩させることができる。たとえば、何匹かの子犬を散歩綱を用いてそれぞれ親犬の首輪につなげば、複数の子犬がいても、親犬と一緒に散歩させることができる。
【００１５】
第３実施形態の散歩綱Ｃは、図４に示すように第１実施形態の散歩綱Ａに巻き取り機構４ａの操作手段を追加したものである。操作手段とは、巻き取り機構のロック機構を操作するものであり、例えば、手元操作部９とワイヤー８から構成されている。
手元操作部９は、巻き取り機構４ａにおける延長綱４ｂの繰出し巻き取りをロック、アンロックするための部材であり、ワイヤー８を介して巻き取り機構４ａのロック機構に連結されている。このため、ワイヤー８の動作を操作するボタン等を手元操作部９に設けておけば、手元で巻き取り機構４ａのロック機構を操作できる。例えば、一度ボタンを押すとロックされ、もう一度押すとアンロックする構成などが用いることができる。
【０００１６】
本実施形態の散歩綱Ｃを使用する場合、延長綱４ｂの長さを固定したい場合は、手元操作部９のボタンを押してロック状態にしておけば、延長綱４ｂの繰り出し巻き取りを止めることができるので、２匹の犬を一定の行動範囲に制限し、まとまって散歩させることができる。また、手元操作部９のボタンをもう一度押してアンロック状態にしておけば、犬同士の間隔に応じて延長綱４ｂが繰り出され、巻き取られるので、２匹の犬はそれぞれ自由に行動することができる。
本実施形態の散歩綱Ｃを使用すれば、延長綱４ｂの操作を手元でおこなうことができるので、飼い主は、散歩綱Ｃのみに連結された犬の行動を容易に制御することができる。
【００１７】
なお、手元操作部９に面状ファスナーなどの手元操作保持部９ａを設けて、この手元操作保持部９ａによって、引き綱６とワイヤー８を手元付近で束ねることができるような構成としてもよい。このようにすれば、持ち輪７と手元操作部９を近くに配置することができ、手元操作部９を常に手で持たなくても済むし、操作したいときはすぐに操作できる。
なお、操作手段の構成はロック機構を操作することができれば、なんでも良い。
【００１８】
第４実施形態の散歩綱Ｄは、図５に示すように、請求項５の考案の実施形態であり、引き綱６の一端に引っ掛け金具２を設け、引き綱６の一端と飼い主が手で持つ持ち輪７の間に引っ掛け金具５を設けたものである。
引き綱６の一端と持ち輪７との間に設けられた引っ掛け金具５は綱体１を介して引き綱６に連結されている。引っ掛け金具２と引っ掛け金具５は第１実施形態で説明したものと、実質的に同一である。綱体１は第２実施形態で説明したものと、実質的に同一である。
【０００１９】
本実施形態の散歩綱Ｄを使用する場合には、一匹の犬の首輪Ｃの連結環Ｒに、引っ掛け金具２を連結させ、他の犬の首輪Ｃの連結環Ｒに、引っ掛け金具５を連結させれば、２匹の犬を１本の引き綱６に直接連結させることができるので、綱１本で２匹の犬をまとまって散歩させることができ、綱同士の絡まりを防ぐことができる。
なお、引き綱６における引っ掛け金具２と引っ掛け金具５との間に上述の巻き取り機構を設けてもよく、そうすると犬はそれぞれ自由に動くことができる。
【００２０】
第５実施形態の散歩用具Ｅは、図６に示すように、請求項６の考案の実施形態であり、首輪１２に設けられた巻き取り機構１１により繰り出し巻き取り自在な綱体１０と、該綱体１０の自由端に引っ掛け金具５を備えているものである。
巻き取り機構１１は第１実施形態で説明したものと実質的に同一であるが、本実施形態では首輪１２と一体となっている。首輪１２は、公知の革製又は布製でもよく、その長さは犬の首まわりの大きさによるが、２０ｃｍから６０ｃｍが適当である。
なお、綱体１０は第１実施形態で説明した延長綱４ｂと実質的に同一であり、引っ掛け金具５は第１実施形態で説明したものと実質的に同一である。
【０００２１】
本実施形態の散歩用具Ｅを使用する場合は、一匹の犬の首に本実施形態の首輪１２を取り付け、もう一匹の犬の首輪の連結環に散歩綱Ｅの引っ掛け金具５を引っ掛けることができる。このように犬同士をつないで散歩させるので、綱が絡まることなく、２匹の犬をまとまって散歩させることができる。また、首輪１２に巻き取り機構１１が備えられているので、犬同士は自由に動きまわることができ、飼い主も犬も快適に散歩することができる。
なお、胴輪に巻き取り機構１１を設けてもよい。首輪を用いると、犬の首に大きな負担がかかる場合があるので、胴輪を用いたほうが犬の首に負担が集中しないですむ。
また、首輪又は胴輪に複数の巻き取り機構を設ければ、２匹以上の犬をつなぐことができる。
【０００２２】
第６実施形態の散歩用具は第５実施形態の散歩用具Ｅの巻き取り機構１１に、綱体１０の繰り出しと巻き取りを固定するロック機構を設けたものである。ロック状態であれば、綱体１の長さが固定されるので、それ以上広い範囲に犬が動くことはなく、２匹の犬をまとまって散歩させることができる。
このロック機構の操作部は、第３実施形態のように、ワイヤーを用いて手元に配置してもよいが、ロック機構と一体となって備えられていても、首輪１２に備えられていても良い。
【考案の効果】
請求項１の考案によれば、動物と動物を１本の綱で直接つなぐので、綱同士が絡むことはない。また、動物同士は他の動物の動きと関連して行動範囲が制限されるので、飼い主は２匹の動物をまとまって散歩させることができる。
請求項２の考案によれば、綱体の一端と前記引っ掛け金具との間の距離を調整することができるから、２匹の動物が互いに離れて行けばその距離も長くなり、近づけば短くなるので、動物同士は互いに行動を制限されることなく、自由に動くことができる。
請求項３の考案によれば、延長綱を巻き取り繰り出しすることができるから、２匹の動物の距離が離れれば、巻き取り機構が働いて、延長綱が繰り出され、近づくと巻き取られるので、動物同士は互いに行動を制限されることなく、自由に動くことができる。
請求項４の考案によれば、ロック機構により延長綱の長さを固定することができるので、２匹間の距離を一定にすることができる。すると、それ以上広い範囲に犬が動くことはなく、２匹の犬をまとまって散歩させることができる。
請求項５の考案によれば、複数の動物を１本の綱に直接連結させるので、綱１本で複数の動物をまとまって散歩させることができ、綱同士の絡まりを防ぐことができる。
請求項６の考案によれば、動物の体に取り付けられる連結具に設けられた巻き取り機構から綱体が繰り出し巻き取り自在であり、その綱の自由端に設けられた引っ掛け金具で、もう一匹の動物をつなげば、綱同士がからむことなく、飼い主は、２匹の犬をまとまって散歩させることができる。
請求項７の考案によれば、ロック機構により綱体の長さを固定することができるので、２匹間の距離を一定にすることができる。すると、それ以上広い範囲に犬が動くことはなく、２匹の犬をまとまって散歩させることができる。
【図面の簡単な説明】
【図１】第１実施形態に係る散歩綱Ａの説明図である。
【図２】第２実施形態に係る散歩綱Ｂの説明図である。
【図３】第１実施形態の散歩綱Ａまたは第２実施形態の散歩綱Ｂを使用している図である。
【図４】第３実施形態に係る散歩綱Ｃの説明図である。
【図５】第４実施形態に係る散歩綱Ｄの説明図である。
【図６】第５実施形態に係る散歩用具Ｅの説明図である。
【符号の説明】
１　綱体
２　引っ掛け金具
３　連結手段
４　伸縮部
４ａ　巻き取り機構
４ｂ　延長綱
５　引っ掛け金具
６　引き綱
６ａ　引っ掛け金具
７　持ち輪
８　ワイヤー
９　手元操作部
９ａ　手元操作保持部
Ｃ　首輪
Ｒ　連結環
１０　綱体
１１　巻き取り機構
１２　首輪
１３　連結環
【図１】
0003099937.tif 000003
【図２】
0003099937.tif 000004
【図３】
0003099937.tif 000005
【図４】
0003099937.tif 000006
【図５】
0003099937.tif 000007
【図６】
0003099937.tif 000008